【事件の表示】
　特願２００９−　２５４８５「放射線画像検出システム」拒絶査定不服審判事件〔平成２１年　６月２５日出願公開、特開２００９−１３９９７２〕について、次のとおり審決する。
【結　論】
　本件審判の請求は、成り立たない。
【理　由】
第１　手続の経緯
　本願は、平成１４年９月４日に出願された特願２００２−２５９１６７号（以下「原出願」という。）の一部を平成２１年２月６日に新たな特許出願としたものであって、平成２４年７月１０日付けで手続補正がなされたものの、平成２５年１月３０日付けで拒絶査定がなされた。
　本件は、これを不服として、同年４月９日に請求された拒絶査定不服審判であって、請求と同時に手続補正がなされ、その後、当審において同年９月５日付けで審尋を行ったところ、同年１０月２９日付けで回答書が提出された。
　
第２　平成２５年４月９日付けの手続補正についての補正の却下の決定
　［補正の却下の決定の結論］
　平成２５年４月９日付けの手続補正（以下「本件補正」という。）を却下する。
　［理由］
１　補正の内容
　本件補正は、特許請求の範囲を補正するものであって、そのうち特許請求の範囲の請求項１の補正は、補正前（平成２４年７月１０日付けで補正、以下同様。）の
「【請求項１】
  照射した放射線の強度に応じて２次元的に配列された複数の検出素子で画像データを生成して放射線画像の読み取りを行なう撮像パネルと、前記画像データを記憶する記憶手段と、無線通信及び有線通信が可能な画像データ転送手段と、バッテリと、を有するカセッテ型放射線画像検出器と、
  前記カセッテ型放射線画像検出器と無線通信で、前記カセッテ型放射線画像検出器から画像データを取得し、取得した画像データを表示するコントローラと、
  前記カセッテ型放射線画像検出器から画像データを取得可能で、前記コントローラとは異なる外部出力機と、
を備え、
  前記カセッテ型放射線画像検出器は、前記画像データから間引き画像データを作成し、作成した間引き画像データを無線信号に変換して前記コントローラへ送信し、
  前記コントローラは、送信されてきた間引き画像データを表示して、撮影した画像の良否確認を可能とせしめ、
  前記カセッテ型放射線画像検出器は、ケーブルが接続され、外部出力スイッチが操作されると、前記記憶手段に記憶された間引き前の画像データを有線通信にて前記外部出力機に送信することを特徴とする放射線画像検出システム。」を
「【請求項１】
  照射した放射線の強度に応じて２次元的に配列された複数の検出素子で画像データを生成して放射線画像の読み取りを行なう撮像パネルと、前記画像データを記憶する記憶手段と、無線通信及び有線通信が可能な画像データ転送手段と、バッテリと、外部出力スイッチと、を有するカセッテ型放射線画像検出器と、
  前記カセッテ型放射線画像検出器と無線通信で、前記カセッテ型放射線画像検出器から画像データを取得し、取得した画像データを表示するコントローラと、
  前記カセッテ型放射線画像検出器から画像データを取得可能で、前記コントローラとは異なる外部出力機と、
を備え、
  前記カセッテ型放射線画像検出器は、前記画像データから間引き画像データを作成し、作成した間引き画像データを無線信号に変換して前記コントローラへ送信し、
  前記コントローラは、送信されてきた間引き画像データを表示して、撮影した画像の良否確認を可能とせしめ、
  前記カセッテ型放射線画像検出器にはケーブルが接続可能であり、ケーブルが接続された状態で前記外部出力スイッチが操作されると、前記記憶手段に記憶された間引き前の画像データが、有線通信にて自動的に前記外部出力機に出力されることを特徴とする放射線画像検出システム。」と補正するものである。
　
２　補正の目的についての検討
　上記本件補正は、補正前の請求項１に係る発明の発明特定事項である「外部出力スイッチ」を「カセッテ型放射線画像検出器」が有するものであるとする補正（以下「補正事項１」という。）、及び、補正前の請求項１に係る発明の発明特定事項の「カセッテ型放射線画像検出器は、ケーブルが接続され、外部出力スイッチが操作されると、前記記憶手段に記憶された間引き前の画像データを有線通信にて前記外部出力機に送信する」構成を、「カセッテ型放射線画像検出器にはケーブルが接続可能であり、ケーブルが接続された状態で前記外部出力スイッチが操作されると、前記記憶手段に記憶された間引き前の画像データが、有線通信にて自動的に前記外部出力機に出力される」構成とする補正（以下「補正事項２」という。）である。
　これら補正事項１及び２は、特許請求の範囲を限定して減縮するものである。
　したがって、本件補正は、特許法第１７条の２第５項第２号に掲げる特許請求の範囲の減縮を目的とする補正を含むものである。
　そこで、本件補正後の請求項１に係る発明（以下「本件補正発明」という。）が特許法第１７条の２第６項において準用する同法第１２６条第７項の規定に適合するか、すなわち、特許出願の際独立して特許を受けることができるものであるか否かについて、以下検討する。
　
３　本件補正発明
　本件補正発明は、本件補正後の特許請求の範囲の請求項１に記載された上記のとおりのものである。
　
４　引用刊行物
（１）引用刊行物１
　これに対して、原査定の拒絶の理由に引用された、原出願の出願前である平成１４年７月９日に頒布された「特開２００２−１９１５８６号公報 」（以下「引用例１」という。）には、次の事項が記載されている。（引用例１記載の発明の認定に関係する箇所に、当審で下線を付した。）
ａ）記載事項ア
「【００１１】
【発明の実施の形態】以下に、本発明を図示の実施の形態を基に詳細に説明する。図１は実施の形態を示すＸ線撮像システムの構成図を示し、１はＸ線室、２はＸ線制御室、３は診断・操作室である。
【００１２】Ｘ線室１には、Ｘ線を発生するＸ線発生器１１が置かれ、このＸ線発生器１１はＸ線を発生するＸ線管球１２、Ｘ線管球１２を駆動する高圧発生電源１３、Ｘ線管球１２により発生されたＸ線ビームを所望の撮像領域に絞り込むＸ線絞り１４から成っている。撮影用寝台１５の下には、被検体Ｓ及び撮影用寝台１５を透過したＸ線ビームを検出するＸ線検出器１６が配置されている。
【００１３】Ｘ線検出器１６は、グリッド１７、シンチレータ１８、光検出器アレー１９、Ｘ線露光量モニタ２０の積層体と、光検出器アレー１９を駆動する駆動器２１とから構成されている。グリッド１７は被検体Ｓを透過することによって生ずるＸ線散乱の影響を低減するために設けられており、Ｘ線低吸収部材と高吸収部材とから成り、例えばＡ１とＰｂのストライプ構造から成っている。光検出器アレー１９とグリッド１７との格子比の関係によりモアレ縞が生じないように、Ｘ線照射時にはＸ線検出器１６は後述するＸ線制御室２の撮像制御器からの設定に基づいて、駆動器２１の制御信号に従ってグリッド１７を振動させる。
【００１４】シンチレータ１８では、エネルギの大きいＸ線によって蛍光体の母体物質か励起（吸収）され、その再結合エネルギにより可視領域の蛍光が発生し、Ｘ線を可視光に変換する。その蛍光はＣａＷｏ4やＣｄＷｏ4等の母体自身によるものや、ＣｓＩ：ＴｌやＺｎＳ：Ａｇ等の母体内に付加された発光中心物質によるものがある。光検出器アレー１９はシンチレータ１８による可視光を電気信号に変換する。本実施の形態では、シンチレータ１８と光検出器アレー１９とを別々の構成としているが、Ｘ線を電子に直接変換する検出器で構成するものにも適用される。例えば、アモルファスＳｅやＰｂＩ2等の受光部とアモルファスシリコンＴＦＴ等から成る放射線（Ｘ線）検出器である。
【００１５】Ｘ線露光量モニタ２０はＸ線透過量を監視する目的で配置されている。Ｘ線露光量モニタ２０としては、結晶シリコンの受光素子等を用いてＸ線を直接検出してもよいし、シンチレータ１８による蛍光を検出してもよい。本実施の形態では、Ｘ線露光量モニタ２０は光検出器アレー１９の基板裏面に成膜されたアモルファス・シリコン受光素子から成り、光検出器アレー１９を透過したＸ線量に比例した過視光を検知して、その光量情報を撮像制御器に伝達する。
【００１６】また、四肢等の撮影のために別に薄型Ｘ線検出器２２が配置され、この薄型Ｘ線検出器２２は中継器２３を介してＸ線制御室２に接続されている。図１では、薄型Ｘ線検出器２２は複数種のセンサの代表として１つを図示してあるが、空間分解能が異なったり、薄型Ｘ線検出器２２の大きさ、つまり撮像領域の大きさが異なるもの等を交換して使用することが可能である。Ｘ線検出器１６と薄型Ｘ線検出器２２との相違点は、第１には
薄型Ｘ線検出器２２の厚さが、フィルムスクリーン系カセッテに匹敵する程度の約２０ｍｍ以下である
薄型Ｘ線検出器２２には
【００１７】
薄型Ｘ線検出器２２と中継器２３を接続するケーブル２４はあってもなくても動作可能であり、
【００１８】Ｘ線制御室２には、本Ｘ線撮像システムの全体的な動作を制御するシステム制御器３１、操作者インタフェース３２、ディスプレイモニタ３３が配置されている。システム制御器３１には、前述の撮影制御器３４、例えばＲＡＩＤ等のハードディスクアレーから成る画像処理器３５、処理された基本画像データを記憶する大容量高速の記憶装置３６、モニタ３３を制御して種々の文字及び画像を表示させる表示制御器３７、例えば光磁気ディスク等の大容量の外部記憶装置３８、Ｘ線制御室２の装置と診断・操作室３の装置を接続し、Ｘ線室１での撮影画像等を診断・操作室３の装置に転送するＬＡＮボード３９が内蔵されている。
【００１９】
インタフェース３２は、
操作者２１が種々の指令をシステム制御器３１に入力するために使用される
【００２０】
診断・操作室３には、
ＬＡＮボード３９からの画像（動画像／静止画）を映像表示するモニタ４２、イメージプリンタ４３、画像データを格納するファイルサーバ４４が設けられている
ｂ）記載事項イ
「【００２６】Ｘ線検出器１６、
薄型Ｘ線検出器２２から出力される画素信号は、Ｘ線制御室２内の画像処理器３５に出力される
【００２７】画像処理器３５については詳細は後述するが、システム制御器３１からの指令に基づき画像信号の表示形式を切換え、その他には画像信号の補正、空間フィルタリング及びリカーシブ処理等をリアルタイムで行い、階調処理、散乱線補正及びＤＲ圧縮処理等を実行できる。画像処理器３５により処理された画像は、モニタ３３の画面に表示される。リアルタイム画像処理と同時に、画像補正のみを行われた基本画像情報は、記憶装置３６に保存される。また、操作者Ｏの指示に基づいて、記憶装置３６に格納される画像情報は、例えばImage Save  Carry（ＩＳ＆Ｃ）の所定の規格を満たすように再構成された後に、外部記憶装置３８及びファイルサーバ４４内のハードディスク等に格納される。
【００２８】
Ｘ線制御室２の装置は、ＬＡＮボード３９を介してＬＡＮ（又はＷＡＮ）に接続する
ＬＡＮボード３９は
画像データを出力する
ｃ）記載事項ウ
「【００３１】図３は図２に示す光電変換素子を二次元に拡張して構成した
二次元配列の光電変換素子を具備する光検出器アレー１９
ｄ）記載事項エ
「【００６４】図７は薄型Ｘ線検出器２２と中継器２３のブロック回路構成図を示し、
薄型Ｘ線検出器２２内にはＭＰＵ９１、データ駆動制御部９２、画像メモリ９３、無線通信モジュール９４、外部接続コネクタ９５、電源９６が設けられている
【００６５】
データ駆動制御部９２の機能は、
光検出器アレー１９を駆動し、それに基づく光検出器アレー１９からのアナログ出力を図示しないＡＤ変換部によりディジタル変換された画像を取り込み、取り込まれたディジタル画像を画像メモリ９３に書き込む。更に、縮小画像データを無線通信モジュール９４を介して中継器２３に出力し、機械的に接続されている場合には、全画像データをコネクタ９５を介して中継器２３に出力する
ｅ）記載事項オ
「【００７１】図８は
操作者インタフェース３２の表示画面の例を示し、表示画面１１１内には、取得画像の縮小簡易画像表示領域１１２
が存在する
薄型Ｘ線検出器２２を使用した場合に、先の無線通信により転送する画像を基に再処理を行って画像表示を行う
ｆ）記載事項カ
「【００８４】Ｘ線撮像が完了した時点で、ケーブルレス状態では転送速度の制限から、撮影した全画像をケーブル接続状態のような短時間の内に転送することは難しい。そのため、
縮小画像を最初に転送して、明らかな撮像ミスがないか否かを確認できる画像を先の取得画像の縮小簡易画像表示領域１１２に表示する。撮像した全画像は薄型Ｘ線検出器２２内の内蔵メモリに蓄えておく。
ｇ）記載事項キ
「【図１】
　　　　　　　　　　　　　　　　　　　　　　　　　　　　　　　　　　　　　　　　　　　　　　　　　　　　　　　　　　　　　　　　　　」
ｈ）記載事項ク
「【図７】
　　　　　　　　　　　　　　　　　　　　　　　　　　　　　　　　　　　　　　　　　　　　　　　　　　　　　　　　　　　　　　　　　　」
　上記図７によると、引用例１には、
薄型Ｘ線検出器２２に光検出器アレー１９が設けられている
ｉ）記載事項ケ
「【図８】
　　　　　　　　　　　　　　　　　　　　　　　　　　　　　　　　　　　　　　　　　　　　　　　　　　　　　　　　　　　」
ｊ）引用例１記載の発明
　上記記載事項ア〜ケによると、引用例１には、以下の発明（以下「引用発明」という。）が記載されていると認められる。
「薄型Ｘ線検出器２２内にはＭＰＵ９１、データ駆動制御部９２、画像メモリ９３、無線通信モジュール９４、外部接続コネクタ９５、電源９６が設けられ、
薄型Ｘ線検出器２２に光検出器アレー１９が設けられ、
薄型Ｘ線検出器２２の厚さが、フィルムスクリーン系カセッテに匹敵する程度の約２０ｍｍ以下であり、
光検出器アレー１９は二次元配列の光電変換素子を具備し、
薄型Ｘ線検出器２２内のデータ駆動制御部９２の機能は、光検出器アレー１９を駆動し、ＡＤ変換部によりディジタル変換された画像を取り込み、取り込まれたディジタル画像を画像メモリ９３に書き込み、更に、縮小画像データを無線通信モジュール９４を介して中継器２３に出力し、機械的に接続されている場合には、全画像データを外部接続コネクタ９５を介して中継器２３に出力し、
薄型Ｘ線検出器２２と中継器２３を接続するケーブル２４はあってもなくても動作可能であり、
操作者インタフェース３２は、操作者２１が種々の指令をシステム制御器３１に入力するために使用され、操作者インタフェース３２の表示画面１１１内には、取得画像の縮小簡易画像表示領域１１２が存在し、薄型Ｘ線検出器２２を使用した場合に、無線通信により転送する画像を基に再処理を行って画像表示を行い、
薄型Ｘ線検出器２２から出力される画素信号は、Ｘ線制御室２内の画像処理器３５に出力され、Ｘ線制御室２の装置は、ＬＡＮボード３９を介してＬＡＮに接続し、ＬＡＮボード３９は画像データを出力し、診断・操作室３には、ＬＡＮボード３９からの画像（動画像／静止画）を映像表示するモニタ４２、イメージプリンタ４３、画像データを格納するファイルサーバ４４が設けられ、
縮小画像を最初に転送して、明らかな撮像ミスがないか否かを確認できる画像を先の取得画像の縮小簡易画像表示領域１１２に表示し、撮像した全画像は薄型Ｘ線検出器２２内の内蔵メモリに蓄えておくＸ線撮像システム。」
　
（２）引用刊行物２
　また、原査定の拒絶の理由に引用された、原出願の出願前である平成１２年１２月１５日に頒布された「特開２０００−３４７３３０号公報 」（以下「引用例２」という。）には、次の事項が記載されている。
ａ）記載事項コ
「【請求項５】前記外部出力制御手段は、対応する画像データをコントローラに転送後、自動的に画像を外部出力機に出力させるスイッチであることを特徴とする請求項４に記載のカセッテ型放射線画像読取装置。」
ｂ）記載事項サ
「【００５１】この実施の形態のカセッテ型放射線画像読取装置１は、図１に示すようにベース板２にケース板３を取り付けて筐体４が構成され、この筐体４には把手５が設けられ、カセッテとして携帯可能になっている。筐体４のケース板３には、グリッド６が取り付けられ、さらに表示部８が配置されている。さらに、筐体４の内部に、撮像パネル１０、制御部１３、メモリ部１４及び電源部１５が内蔵されている。撮像パネル１０には、駆動回路１１、信号読出回路１２が含まれる。
【００５２】このようなカセッテ型では放射線がいつ照射されたかわからないので読取開始手段２０を設け、この読取開始手段２０により放射線画像の読み取り開始を行なう。このカセッテ型は、配線が不要であり、またコントローラとは独立し、しかも離れた位置でも撮影可能で使い勝手がよい。
【００５３】さらに、この実施の形態では、筐体４に画像データを無線信号に返還して外部の信号受信機に転送する画像データ転送手段２４と、画像データがコントローラに送られた後、自動的に画像を外部出力機に出力させる外部出力制御手段２５が設けられている。この外部出力制御手段２５はスイッチにより構成される。」
ｃ）記載事項シ
「【００５５】この実施の形態のカセッテ型放射線画像読取装置１は、図２に示すように撮像パネル１０が照射された放射線の強度に応じて２次元的に配列された複数の検出素子で画像データを生成して放射線画像の読み取りを行なう。また、スイッチで構成される読取開始手段２０が備えられ、この読取開始手段２０は、撮像パネル１０の放射線画像の読み取りを開始させる。また、メモリ部１４には記憶手段２１が設けられ、この記憶手段２１には、撮像パネル１０の信号読出回路１２から読み取られた画像データが記憶される。
【００５６】制御部１３には制御手段２２が設けられ、この制御手段２２は、読取開始手段２０、撮像パネル１０の駆動回路１１及び信号読出回路１２を制御し、撮像パネル１０での放射線画像の読み取り開始及び読み取りと、記憶手段２１での画像データの記憶を行なう。
【００５７】また、電源部１５には、電源手段２３が設けられ、この電源手段２３は、撮像パネル１０、読取開始手段２０、記憶手段２１、表示部８、制御手段２２を駆動するための電力を供給する。
【００５８】また、この実施の形態のカセッテ型放射線画像読取装置１は、画像データを無線信号に返還して外部の信号受信機１００に転送する画像データ転送手段２４を有する。この画像データ転送手段２４は、画像データを波長１００ｎｍから１ｍｍの光信号に返還して外部の信号受信機１００に転送する。このように画像データ転送手段２４により画像データを無線信号に返還して外部の信号受信機１００に転送し、さらにコントローラ１１０に転送される。このため、配線が不要であり、離れた位置でも撮影可能で使い勝手がよい。
【００５９】また、この実施の形態のカセッテ型放射線画像読取装置１は、コントローラ１１０に送られた後、自動的に外部出力機１０１に出力させる外部出力制御手段２５を有し、この外部出力制御手段２５は制御手段２２により制御され、電源手段２３により電源が与えられている。
【００６０】外部出力制御手段２５からの指令に基づき画像データをコントローラ１１０に送り、この後自動的に外部出力機１０１から画像を出力させる。この外部出力制御手段２５は、スイッチ２５ａで構成することができ、このスイッチ２５ａを例えば所定のタイミングで押すと、対応する画像データはコントローラ１１０に転送後、自動的に外部出力機１０１に画像を出力することができる。このように画像データがコントローラ１１０に送られた後、自動的に画像を外部出力機１０１に出力させるから使用に便利であり、また改めて画像データをコントローラ１１０から外部出力機１０１に出力する操作をする必要がない。
【００６１】また、メモリ部１４には、予め別のところで入力された（読み取られた）ＩＤ情報が記憶されており、そのＩＤ情報に画像を出力する旨入力されているときは、画像データがコントローラ１１０に転送後、外部出力機１０１から画像が出力される。また、画像を出力するかしないかの情報（命令情報）は、必ずしもカセッテがもっている必要はなく、コントローラ１１０がもっていてもよい。」
　
５　対比
　ここで、本件補正発明と引用発明とを対比する。 
（１）引用発明の「電源９６」、「画像メモリ９３」、「二次元配列の光電変換素子」は、本件補正発明の「バッテリ」、「画像データを記憶する記憶手段」、「２次元的に配列された複数の検出素子」にそれぞれ相当する。
　また、引用発明の「薄型Ｘ線検出器２２」は、その「厚さが、フィルムスクリーン系カセッテに匹敵する程度の約２０ｍｍ以下であ」るから、本件補正発明の「カセッテ型放射線画像検出器」に相当する。
　さらに、引用発明は、「薄型Ｘ線検出器２２内のデータ駆動制御部９２の機能は、」「縮小画像データを無線通信モジュール９４を介して中継器２３に出力し、機械的に接続されている場合には、全画像データをコネクタ９５を介して中継器２３に出力」するものであるから、本件補正発明の「無線通信及び有線通信が可能な画像データ転送手段」に相当する構成を有するものである。
　そうすると、引用発明の「薄型Ｘ線検出器２２内にはＭＰＵ９１、データ駆動制御部９２、画像メモリ９３、無線通信モジュール９４、外部接続コネクタ９５、電源９６が設けられ、薄型Ｘ線検出器２２には光検出器アレー１９が設けられ、薄型Ｘ線検出器２２の厚さが、フィルムスクリーン系カセッテに匹敵する程度の約２０ｍｍ以下であり、光検出器アレー１９は二次元配列の光電変換素子を具備し、薄型Ｘ線検出器２２内のデータ駆動制御部９２の機能は、」「縮小画像データを無線通信モジュール９４を介して中継器２３に出力し、機械的に接続されている場合には、全画像データを外部接続コネクタ９５を介して中継器２３に出力」する構成と、本件補正発明の「照射した放射線の強度に応じて２次元的に配列された複数の検出素子で画像データを生成して放射線画像の読み取りを行なう撮像パネルと、前記画像データを記憶する記憶手段と、無線通信及び有線通信が可能な画像データ転送手段と、バッテリと、外部出力スイッチと、を有するカセッテ型放射線画像検出器」「を備え」る構成とは、「照射した放射線の強度に応じて２次元的に配列された複数の検出素子で画像データを生成して放射線画像の読み取りを行なう撮像パネルと、前記画像データを記憶する記憶手段と、無線通信及び有線通信が可能な画像データ転送手段と、バッテリと、を有するカセッテ型放射線画像検出器」「を備え」る構成で共通する。
 　 
（２）引用発明の「操作者インタフェース３２」は、「操作者２１が種々の指令をシステム制御器３１に入力するために使用され」るものであるから、本件補正発明の「コントローラ」に相当する。
　そうすると、引用発明の「操作者インタフェース３２は、操作者２１が種々の指令をシステム制御器３１に入力するために使用され、操作者インタフェース３２の表示画面１１１内には、取得画像の縮小簡易画像表示領域１１２が存在し、薄型Ｘ線検出器２２を使用した場合に、無線通信により転送する画像を基に再処理を行って画像表示を行」う構成は、本件補正発明の「カセッテ型放射線画像検出器と無線通信で、前記カセッテ型放射線画像検出器から画像データを取得し、取得した画像データを表示するコントローラ」「を備え」る構成に相当する。
　
（３）引用発明の「イメージプリンタ４３」は、本件補正発明の「外部出力機」に相当する。
　そして、引用発明は、「薄型Ｘ線検出器２２から出力される画素信号は、Ｘ線制御室２内の画像処理器３５に出力され、Ｘ線制御室２の装置は、ＬＡＮボード３９を介してＬＡＮに接続し、ＬＡＮボード３９は画像データを出力し、診断・操作室３には、ＬＡＮボード３９からの画像（動画像／静止画）を映像表示するモニタ４２、イメージプリンタ４３、画像データを格納するファイルサーバ４４が設けられ」ている構成を有するものであるから、本件補正発明の「カセッテ型放射線画像検出器から画像データを取得可能で、前記コントローラとは異なる外部出力機」「を備え」る構成に相当する構成を有するものである。
　
（４）引用発明の「縮小画像データ」は、本件補正発明の「間引き画像データ」に相当する。
　また、引用発明の「薄型Ｘ線検出器２２に光検出器アレー１９が設けられ、」「薄型Ｘ線検出器２２内のデータ駆動制御部９２の機能は、」「縮小画像データを無線通信モジュール９４を介して中継器２３に出力」することを含むから、引用発明の「薄型Ｘ線検出器２２」は、本件補正発明の「画像データから間引き画像データを作成」する構成に相当するを有するものである。
　そうすると、引用発明の「縮小画像を最初に転送して、明らかな撮像ミスがないか否かを確認できる画像を」「操作者インタフェース３２の表示画面１１１内」の「縮小簡易画像表示領域１１２に表示」する構成は、本件補正発明の「カセッテ型放射線画像検出器は、前記画像データから間引き画像データを作成し、作成した間引き画像データを無線信号に変換して前記コントローラへ送信し、前記コントローラは、送信されてきた間引き画像データを表示して、撮影した画像の良否確認を可能とせしめ」る構成に相当する。
　
（５）引用発明の「撮像した全画像」は、本件補正発明の「間引き前の画像データ」に相当する。
　また、引用発明は、「薄型Ｘ線検出器２２と中継器２３を接続するケーブル２４はあってもなくても動作可能であ」るから、本件補正発明と「カセッテ型放射線画像検出器にはケーブルが接続可能であ」る構成を有する点で共通する。
　さらに、引用発明は、「薄型Ｘ線検出器２２内のデータ駆動制御部９２の機能は、光検出器アレー１９を駆動し、ＡＤ変換部によりディジタル変換された画像を取り込み、取り込まれたディジタル画像を画像メモリ９３に書き込」む構成を含むから、引用発明の「撮像した全画像」を「蓄えておく」「薄型Ｘ線検出器２２内の内蔵メモリ」は、「画像メモリ９３」であるといえる。
　また、引用発明は、「診断・操作室３には、ＬＡＮボード３９からの画像（動画像／静止画）を映像表示するモニタ４２、イメージプリンタ４３、画像データを格納するファイルサーバ４４が設けられ」ているものであるから、引用発明の「イメージプリンタ４３」にプリントされるものは「撮像した全画像」であるといえる。
　そうすると、引用発明の「薄型Ｘ線検出器２２と中継器２３を接続するケーブル２４はあってもなくても動作可能であり、」「薄型Ｘ線検出器２２から出力される画素信号は、Ｘ線制御室２内の画像処理器３５に出力され、Ｘ線制御室２の装置は、ＬＡＮボード３９を介してＬＡＮに接続し、ＬＡＮボード３９は画像データを出力し、診断・操作室３には、ＬＡＮボード３９からの画像（動画像／静止画）を映像表示するモニタ４２、イメージプリンタ４３、画像データを格納するファイルサーバ４４が設けられ、」「撮像した全画像は薄型Ｘ線検出器２２内の内蔵メモリに蓄えておく」構成と、本件補正発明の「カセッテ型放射線画像検出器にはケーブルが接続可能であり、ケーブルが接続された状態で前記外部出力スイッチが操作されると、前記記憶手段に記憶された間引き前の画像データが、有線通信にて自動的に前記外部出力機に出力される」構成とは、「カセッテ型放射線画像検出器にはケーブルが接続可能であり、前記記憶手段に記憶された間引き前の画像データが、有線通信にて前記外部出力機に出力される」構成で共通する。
　
（６）引用発明の「Ｘ線撮像システム」は、本件補正発明の「放射線画像検出システム」に相当する。
 　 
　上記（１）〜（６）の点から、本件補正発明と引用発明は、 
「照射した放射線の強度に応じて２次元的に配列された複数の検出素子で画像データを生成して放射線画像の読み取りを行なう撮像パネルと、前記画像データを記憶する記憶手段と、無線通信及び有線通信が可能な画像データ転送手段と、バッテリと、を有するカセッテ型放射線画像検出器と、
  前記カセッテ型放射線画像検出器と無線通信で、前記カセッテ型放射線画像検出器から画像データを取得し、取得した画像データを表示するコントローラと、
  前記カセッテ型放射線画像検出器から画像データを取得可能で、前記コントローラとは異なる外部出力機と、
を備え、
  前記カセッテ型放射線画像検出器は、前記画像データから間引き画像データを作成し、作成した間引き画像データを無線信号に変換して前記コントローラへ送信し、
  前記コントローラは、送信されてきた間引き画像データを表示して、撮影した画像の良否確認を可能とせしめ、
  カセッテ型放射線画像検出器にはケーブルが接続可能であり、前記記憶手段に記憶された間引き前の画像データが、有線通信にて前記外部出力機に出力される放射線画像検出システム。」 
で一致し、以下の点で相違する。 
 　 
（相違点）
　カセッテ型放射線画像検出器が、本件補正発明は、外部出力スイッチを有し、ケーブルが接続された状態で前記外部出力スイッチが操作されると、間引き前の画像データが有線通信にて自動的に外部出力機に出力されるのに対し、引用発明は、そのような構成を有するか否か不明である点。
　
６　当審の判断 
　以下、上記相違点について検討する。
　カセッテ型放射線画像読取装置１は、スイッチ２５ａ（本件補正発明の「外部出力スイッチ」に相当。）と記憶手段２１を有し、スイッチ２５ａを押すことにより、記憶手段２１に記憶された画像データを自動的に外部出力機１０１に出力することが、引用例２（上記記載事項コ乃至シ参照。）に記載されている。
　そして、引用発明も引用例２記載の事項も、カセッテ型放射線画像読取装置に関する技術で共通するものであるから、引用発明において、外部出力スイッチを設け、外部出力スイッチを操作することにより、画像メモリ９３に記憶された全画像データを自動的にイメージプリンタ４３に出力することは、当業者が容易になし得たことである。
　また、引用発明の薄型Ｘ線検出器２２は、「全画像データを外部接続コネクタ９５を介して中継器２３に出力」するものであるから、上記イメージプリンタ４３への出力に際し、外部接続コネクタ９５にケーブルを接続した状態で行うことに、何ら困難性はない。
　してみると、上記相違点に係る本件補正発明の発明特定事項を得ることは、当業者が容易になしえたことである。 
 　 
　相違点については上記のとおりであり、本件補正発明によってもたらされる効果は、引用発明及び引用例２に記載された事項から当業者が予測できる範囲内のものと認められる。 
　よって、本件補正発明は、引用発明及び引用例２に記載された事項に基いて、当業者が容易に発明をすることができたものであるから、特許法第２９条第２項の規定により特許出願の際独立して特許を受けることができない。 
 　 
７　本件補正についての補正の却下の決定のむすび 
　以上のとおり、本件補正は、特許法第１７条の２第６項において準用する同法第１２６条第７項の規定に違反するものであるから、同法第１５９条第１項において読み替えて準用する同法第５３条第１項の規定により却下すべきものである。
　 
第３　本願発明について 
１　本願発明 
　平成２５年４月９日付けの手続補正は上記のとおり却下されたので、本願の特許請求の範囲の請求項１に係る発明（以下「本願発明」という。）は、平成２４年７月１０日付けの手続補正により補正された特許請求の範囲の請求項１に記載されたとおりのものである。（第２［理由］１参照。） 
 　 
２　引用刊行物 
　原査定の拒絶の理由に引用された、原出願の出願前に頒布された刊行物１及びその記載事項、ならびに引用発明は、上記「第２」［理由］「４」「（１）」に記載したとおりである。
 　 
３　対比
　ここで、本願発明と引用発明とを対比する。
（１）引用発明の「電源９６」、「画像メモリ９３」、「二次元配列の光電変換素子」は、本願発明の「バッテリ」、「画像データを記憶する記憶手段」、「２次元的に配列された複数の検出素子」にそれぞれ相当する。
　また、引用発明の「薄型Ｘ線検出器２２」は、その「厚さが、フィルムスクリーン系カセッテに匹敵する程度の約２０ｍｍ以下であ」るから、本願発明の「カセッテ型放射線画像検出器」に相当する。
　さらに、引用発明は、「薄型Ｘ線検出器２２内のデータ駆動制御部９２の機能は、」「縮小画像データを無線通信モジュール９４を介して中継器２３に出力し、機械的に接続されている場合には、全画像データをコネクタ９５を介して中継器２３に出力」するものであるから、本願発明の「無線通信及び有線通信が可能な画像データ転送手段」に相当する構成を有するものである。
　そうすると、引用発明の「薄型Ｘ線検出器２２内にはＭＰＵ９１、データ駆動制御部９２、画像メモリ９３、無線通信モジュール９４、外部接続コネクタ９５、電源９６が設けられ、薄型Ｘ線検出器２２には光検出器アレー１９が設けられ、薄型Ｘ線検出器２２の厚さが、フィルムスクリーン系カセッテに匹敵する程度の約２０ｍｍ以下であり、光検出器アレー１９は二次元配列の光電変換素子を具備し、薄型Ｘ線検出器２２内のデータ駆動制御部９２の機能は、」「縮小画像データを無線通信モジュール９４を介して中継器２３に出力し、機械的に接続されている場合には、全画像データを外部接続コネクタ９５を介して中継器２３に出力」する構成は、本願発明の「照射した放射線の強度に応じて２次元的に配列された複数の検出素子で画像データを生成して放射線画像の読み取りを行なう撮像パネルと、前記画像データを記憶する記憶手段と、無線通信及び有線通信が可能な画像データ転送手段と、バッテリと、を有するカセッテ型放射線画像検出器」「を備え」る構成に相当する。
 　 
（２）引用発明の「操作者インタフェース３２」は、「操作者２１が種々の指令をシステム制御器３１に入力するために使用され」るものであるから、本願発明の「コントローラ」に相当する。
　そうすると、引用発明の「操作者インタフェース３２は、操作者２１が種々の指令をシステム制御器３１に入力するために使用され、操作者インタフェース３２の表示画面１１１内には、取得画像の縮小簡易画像表示領域１１２が存在し、薄型Ｘ線検出器２２を使用した場合に、無線通信により転送する画像を基に再処理を行って画像表示を行」う構成は、本願発明の「カセッテ型放射線画像検出器と無線通信で、前記カセッテ型放射線画像検出器から画像データを取得し、取得した画像データを表示するコントローラ」「を備え」る構成に相当する。
　
（３）引用発明の「イメージプリンタ４３」は、本願発明の「外部出力機」に相当する。
　そして、引用発明は、「薄型Ｘ線検出器２２から出力される画素信号は、Ｘ線制御室２内の画像処理器３５に出力され、Ｘ線制御室２の装置は、ＬＡＮボード３９を介してＬＡＮに接続し、ＬＡＮボード３９は画像データを出力し、診断・操作室３には、ＬＡＮボード３９からの画像（動画像／静止画）を映像表示するモニタ４２、イメージプリンタ４３、画像データを格納するファイルサーバ４４が設けられ」ている構成を有するものであるから、本願発明の「カセッテ型放射線画像検出器から画像データを取得可能で、前記コントローラとは異なる外部出力機」「を備え」る構成に相当する構成を有するものである。
　
（４）引用発明の「縮小画像データ」は、本願発明の「間引き画像データ」に相当する。
　また、引用発明の「薄型Ｘ線検出器２２に光検出器アレー１９が設けられ、」「薄型Ｘ線検出器２２内のデータ駆動制御部９２の機能は、」「縮小画像データを無線通信モジュール９４を介して中継器２３に出力」することを含むから、引用発明の「薄型Ｘ線検出器２２」は、本願発明の「画像データから間引き画像データを作成」する構成に相当するを有するものである。
　そうすると、引用発明の「縮小画像を最初に転送して、明らかな撮像ミスがないか否かを確認できる画像を」「操作者インタフェース３２の表示画面１１１内」の「縮小簡易画像表示領域１１２に表示」する構成は、本願発明の「カセッテ型放射線画像検出器は、前記画像データから間引き画像データを作成し、作成した間引き画像データを無線信号に変換して前記コントローラへ送信し、前記コントローラは、送信されてきた間引き画像データを表示して、撮影した画像の良否確認を可能とせしめ」る構成に相当する。
　
（５）引用発明の「撮像した全画像」は、本願発明の「間引き前の画像データ」に相当する。
　また、引用発明は、「薄型Ｘ線検出器２２と中継器２３を接続するケーブル２４はあってもなくても動作可能であ」るから、本願発明と「カセッテ型放射線画像検出器は、ケーブルが接続」可能である構成を有する点で共通する。
　さらに、引用発明は、「薄型Ｘ線検出器２２内のデータ駆動制御部９２の機能は、光検出器アレー１９を駆動し、ＡＤ変換部によりディジタル変換された画像を取り込み、取り込まれたディジタル画像を画像メモリ９３に書き込」む構成を含むから、引用発明の「撮像した全画像」を「蓄えておく」「薄型Ｘ線検出器２２内の内蔵メモリ」は、「画像メモリ９３」であるといえる。
　また、引用発明は、「診断・操作室３には、ＬＡＮボード３９からの画像（動画像／静止画）を映像表示するモニタ４２、イメージプリンタ４３、画像データを格納するファイルサーバ４４が設けられ」ているものであるから、引用発明の「イメージプリンタ４３」にプリントされるものは「撮像した全画像」であるといえる。
　そうすると、引用発明の「薄型Ｘ線検出器２２と中継器２３を接続するケーブル２４はあってもなくても動作可能であり、」「薄型Ｘ線検出器２２から出力される画素信号は、Ｘ線制御室２内の画像処理器３５に出力され、Ｘ線制御室２の装置は、ＬＡＮボード３９を介してＬＡＮに接続し、ＬＡＮボード３９は画像データを出力し、診断・操作室３には、ＬＡＮボード３９からの画像（動画像／静止画）を映像表示するモニタ４２、イメージプリンタ４３、画像データを格納するファイルサーバ４４が設けられ、」「撮像した全画像は薄型Ｘ線検出器２２内の内蔵メモリに蓄えておく」構成と、本願発明の「カセッテ型放射線画像検出器は、ケーブルが接続され、外部出力スイッチが操作されると、前記記憶手段に記憶された間引き前の画像データを有線通信にて前記外部出力機に送信する」構成とは、「カセッテ型放射線画像検出器は、ケーブルが接続可能であり、前記記憶手段に記憶された間引き前の画像データを有線通信にて前記外部出力機に送信する」構成で共通する。
　
（６）引用発明の「Ｘ線撮像システム」は、本願発明の「放射線画像検出システム」に相当する。
 　 
　上記（１）〜（６）の点から、本願発明と引用発明は、 
「照射した放射線の強度に応じて２次元的に配列された複数の検出素子で画像データを生成して放射線画像の読み取りを行なう撮像パネルと、前記画像データを記憶する記憶手段と、無線通信及び有線通信が可能な画像データ転送手段と、バッテリと、を有するカセッテ型放射線画像検出器と、
  前記カセッテ型放射線画像検出器と無線通信で、前記カセッテ型放射線画像検出器から画像データを取得し、取得した画像データを表示するコントローラと、
  前記カセッテ型放射線画像検出器から画像データを取得可能で、前記コントローラとは異なる外部出力機と、
を備え、
  前記カセッテ型放射線画像検出器は、前記画像データから間引き画像データを作成し、作成した間引き画像データを無線信号に変換して前記コントローラへ送信し、
  前記コントローラは、送信されてきた間引き画像データを表示して、撮影した画像の良否確認を可能とせしめ、
  前記カセッテ型放射線画像検出器は、ケーブルが接続可能であり、前記記憶手段に記憶された間引き前の画像データを有線通信にて前記外部出力機に送信する放射線画像検出システム。」 
で一致し、以下の点で相違する。 
 　 
（相違点）
　カセッテ型放射線画像検出器が、記憶手段に記憶された間引き前の画像データを有線通信にて外部出力機に送信するのは、本願発明が、「ケーブルが接続され、外部出力スイッチが操作されると」であるのに対し、引用発明は、そのような構成を有するか否か不明である点。
　
４　当審の判断 
　以下、上記相違点について検討する。
　引用発明は、「診断・操作室３には、ＬＡＮボード３９からの画像（動画像／静止画）を映像表示するモニタ４２、イメージプリンタ４３、画像データを格納するファイルサーバ４４が設けられ」ているものであるが、ＬＡＮボード３９からの画像をイメージプリンタ４３に送信する際には、何らかのスイッチを操作していることは自明である。
　そして、引用発明は、「全画像データを外部接続コネクタ９５を介して中継器２３に出力」するものであるから、引用発明において、薄型Ｘ線検出器２２内の内蔵メモリに蓄えた全画像データを、外部接続コネクタ９５を介して中継器２３に出力し、診断・操作室３のイメージプリンタ４３に送信するに際し、ケーブル２４が接続され、スイッチが操作されたときとすることに、格別の困難性はない。
 　 
　上記相違点については上記のとおりであり、本願発明によってもたらされる効果は、引用発明から当業者が予測できる範囲内のものと認められる。
　よって、本願発明は、引用発明に基いて、当業者が容易に発明をすることができたものであるから、特許法第２９条第２項の規定により特許を受けることができない。
 　 
５　むすび 
　以上のとおり、本願発明は、引用発明に基いて、当業者が容易に発明をすることができたものであるから、特許法第２９条第２項の規定により特許を受けることができない。 
　よって、結論のとおり審決する。